(57)【要約】【課題】  指定期間、保存された画像データの消去や変更を禁止にする記憶領域を有する画像管理システムにおいて、記憶領域の残量が不足した場合に容易に拡張できるようにする。【解決手段】  着脱可能なディスクスロットに未初期化ディスクを装着し、ユーザが指示すると、ディスクの初期化を開始し、初期化完了後に使用可能になる。新ディスクが使用開始されるとそれを使用して動作すると共に、並行して旧ディスクの内容が新ディスクに移動される。移動が完了すると旧ディスクはいつでも取り外し可能になる。【選択図】  図１
2008294830.tif 000002
【特許請求の範囲】
【請求項１】
スキャンした画像データを保持する着脱可能な第一記憶手段と第二記憶手段とを有し画像データ管理機能を有するデジタル複合機で構成される画像データ管理システムにおいて、
第二記憶手段が装着された場合に、第二記憶手段の初期化ステップと、第一記憶手段から第二記憶手段への画像データの移動ステップを経て、第一の記憶手段を第二の記憶手段に切り替えて動作を継続することを特徴とする画像データ管理システム。
【請求項２】
上記初期化ステップとは、第二記憶手段が未初期化状態であることを検知するステップと、第二記憶手段を使用可能な状態に初期化するステップと、からなることを特徴とする請求項１に記載の画像データ管理システム。
【請求項３】
上記初期化ステップにおいて、さらに、初期化ステップを動作中に第一記憶手段を使用してシステムは動作を継続していることを特徴とする請求項１に記載の画像データ管理システム。
【請求項４】
上記移動ステップは、第一記憶手段の画像データを読み出すステップと、読み出した画像データを第二記憶手段に書き出すステップと、からなるからなることを特徴とする請求項１に記載の画像データ管理システム。
【請求項５】
上記移動ステップにおいて、さらに、初期化ステップを動作中に第一記憶手段を使用してシステムは動作を継続していることを特徴とする請求項１に記載の画像データ管理システム。
【請求項６】
上記移動ステップにおいて、さらに、初期化ステップを動作中に新規画像データは第二記憶手段に蓄積することでシステムは動作を継続していることを特徴とする請求項１に記載の画像データ管理システム。
【発明の詳細な説明】
【技術分野】
【０００１】
画像データを保持し管理する装置に関する。
【背景技術】
【０００２】
近年のデジタル複合機は、画像データを保持し管理する画像サーバの機能を有しており、機器内にハードディスクドライブ(以下HDD)等を装着し、ユーザからのリクエストによりHDDに対して画像データを蓄積したり閲覧したりできるようになっている。
【０００３】
このような機器に搭載されているHDDは、その容量が無限ではないため、残量不足時にユーザに通知して不要な画像データを消去するように促して空き容量を確保することで機器を継続的に使用できるようにしている。
【０００４】
一方で、近年「e-文書法」等により、今まで紙により保持すべき書類に電子データを採用し、管理(レコードマネージメント)可能になってきている。その適用範囲は、金融、医療、商業、農業、漁業、等々の各種公式書類など広範囲に渡っており、今後ますます公式書類の電子化が加速するきっかけになっている。
【０００５】
このような電子データの書類は、その書類の種類により廃棄するまでの期間が規定されており、その期間が過ぎるまで改変や消去が禁止もしくは抑制される必要がある。
【０００６】
従来例としては、例えばハードディスクレコーダー残容量が減ってくると、サーバに転送して手元のデータは削除するものがある（特許文献１参照）。
【特許文献１】特開２００４−２３５８８号公報
【発明の開示】
【発明が解決しようとする課題】
【０００７】
このような電子データを画像サーバで管理しようとすると、通常の画像サーバと同様にHDDの残量不足の問題が生じる。しかし、通常の画像サーバに格納されるデータと異なり、一定期間の保存が必須であり簡単に消去できないため、ユーザに消去をさせることはできない。
【０００８】
また、使用環境を検討して残量が不足しないようにあらかじめ大容量のHDDを搭載することも考えられるが、その分コストがかかってしまうし、それでも不足してしまう可能性はある。
【課題を解決するための手段】
【０００９】
そこで、本発明では、画像データを保持するディスクドライブを複数装着できるようにし、
レコードマネージメント用に使用されるHDDが残量不足になった場合に、ディスクを増設すると、古いディスクを使用して動作を継続しながら、新しいディスクの初期化と新しいディスクへの移動を行うことで、継続して使用できるようにする。
【００１０】
（作用）
本発明では、着脱可能なディスクスロットに未初期化ディスクを装着し、ユーザが指示すると、ディスクの初期化を開始し、初期化完了後に使用可能になる。新ディスクが使用開始されるとそれを使用して動作すると共に、並行して旧ディスクの内容が新ディスクに移動される。よって、動作を継続しながら新ディスクへの移行を行うことができる。また、移動が完了すると旧ディスクはいつでも取り外し可能になる。
【発明の効果】
【００１１】
以上のように、本発明では、画像データを保持するディスクドライブを複数装着できるようにし、レコードマネージメント用に使用されるHDDが残量不足になった場合に、ディスクを増設すると、古いディスクを使用して動作を継続しながら、新しいディスクの初期化と新しいディスクへの移動を行うことで、継続して使用できるようになる。
【発明を実施するための最良の形態】
【００１２】
図２は、本実施例の構成を示す複写機であり、リーダ部１およびプリンタ部２の構成を示す断面図である。以下、構成および動作について説明する。
【００１３】
リーダー部１の説明
原稿給送装置１０１上に積載された原稿は、１枚づつ順次原稿台ガラス面１０２上に搬送される。原稿がガラス面１０２の所定位置へ搬送されると、スキャナ部のランプ１０３が点灯、かつスキャナ・ユニット１０４が移動して原稿を照射する。原稿の反射光は、ミラー１０５、１０６、１０７、レンズ１０８を介してＣＣＤイメージ・センサー部１０９（以下ＣＣＤと称する）に入力される。
【００１４】
図１は、上記のリーダ部１の信号処理構成を示す回路ブロック図であり、以下、構成および動作について説明する。
【００１５】
ＣＣＤ１０９に照射された原稿の反射光は、ここで光電変換され、レッド、グリーン、ブルーの各色の電気信号に変換される。ＣＣＤ１０９からのカラー情報は、次の増幅器１１０Ｒ，１１０Ｇ，１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤの感度ムラが補正される。シェーディング回路１１２からの信号は、Ｙ信号・色検出回路１１３及び外部Ｉ／Ｆ切り替え回路１１９に入力される。
【００１６】
Ｙ信号生成・色検出回路１１３は、シェーディング回路１１２からの信号を下記の式で演算を行いＹ信号を得る。
【００１７】
Ｙ＝０．３Ｒ＋０．６Ｇ＋０．１Ｂ
さらに、Ｒ，Ｇ，Ｂの信号から７つの色に分離し各色に対する信号を出力する色検出回路を有する。Ｙ信号生成・色検出回路１１３からの出力信号は、変倍・リピート回路１１４に入力される。スキャナーユニット１０４の走査スピードにより副走査方向の変倍を、変倍回路・リピート回路１１４により主走査方向の変倍を行う。また変倍・リピート回路１１４により複数の同一画像を出力することが可能である。輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。
【００１８】
マーカエリア判定・輪郭生成回路１１６は、原稿上の指定された色のマーカペンで書かれた部分を読みとりマーカの輪郭情報を生成し、つぎのパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【００１９】
パターン化・太らせ・マスキング・トリミング回路１１７からの出力信号は、プリンタ部２に出力する場合は、後述する画像データセレクタ１１８により選択され、レーザドライバ回路１１９に入力され各種処理された信号をレーザを駆動するための信号に変換する。レーザドライバ１１９の出力信号は、プリンタ２に入力され可視像として画像形成が行われる。
【００２０】
画像メモリ１２０は、画像データセレクタ１１８により送られた画像データをＣＰＵ１２２の指示により画像メモリ１２０の指定位置に後述する方法で、記憶及び読みだしを行い、回転処理、画像をメモリ上で合成する機能を行っている。
【００２１】
コネクタ１２１は、装置外部と通信を行うためのインタフェースで、イーサネット（登録商標）やUSBやIEEE1394等々で外部デバイスやPCや他の装置と接続される。
【００２２】
ＣＰＵ回路１２２はリーダ部１を制御するもので、制御プログラム、エラー処理プログラムなどを記憶するＲＯＭ１２４と各種プログラムのワークエリアなどのために利用されるＲＡＭ１２５と各種タイマー制御部等から構成される。また、画像メモリ１２０に蓄積された画像データの中で必要なデータはCPU１２２の指示により、圧縮器126と通して圧縮しハードディスク127に蓄積される。ハードディスク127に記憶された画像データを、伸張器126を通してＣＰＵ１２２の指示により画像メモリ上に展開することも可能である。
【００２３】
操作部１２３の説明
操作部１２３はリーダ部１の画像処理に対する画像編集内容、コピー枚数等の画像動作を指示する各種キー群と、操作時の内容を表示する表示部等を有している。図７は本実施例の操作部１２３の詳細を示したものである。この操作部１２３には、各種キーと、液晶表示装置からなるドットマトリックスで構成される液晶表示部250とが配置されている。
【００２４】
液晶表示部7-250はタッチパネルであり、キー表示部を押下することにキー入力が出来る。
【００２５】
ハードキー群240は、各種ハードキーであり、スタートキー7-241は、コピーをスタートする為のキーであり、復帰キー7-246は設定モードを標準状態に復帰するためのキーである。
【００２６】
またキー群7-245は、コピー枚数、ズーム倍率等を入力させる０〜９までのテンキーとその入力をその入力をクリアするためのクリアキーである。このキー郡で入力されたコピー部数は、液晶表示部7-253に表示される。ガイドキー7-247は、各機能のガイド画面を表示させるためのキーであり、ユーザーモードキー7-248は、機器の各種設定を行うためのキーである。
【００２７】
液晶表示部7-250は、装置の状態、コピー枚数、倍率、選択用紙及び各種操作画面を表示する。液晶表示部7-250には、タッチキーも表示される。キー7-252は、給紙段及びオート用紙選択を選択するキーであり、このキーを押下すると給紙段選択画面(図示しない)が表示される。この画面で給紙段を選択しOKキー7-270を押下すると、この画面は閉じ、表示部7-251に表示される。キー7-258・キー7-262は濃度調整を行うためのキーで、これにより調整される濃度は、表示部7-263に表示される。キー7-259は自動濃度調整機能をON/OFFするためのキーとその表示部である。
【００２８】
キー7-254、キー7-255はそれぞれ等倍、縮小／拡大を設定するキーである。キー7-255を押下すると拡大縮小設定画面(図示しない)が表示され、拡大縮小を詳細に設定できる。倍率は、液晶表示部7-264にも表示される。
【００２９】
キー7-260は応用モードキーであり、キー7-260を押下すると、各種モード設定画面に移行する。
【００３０】
画像メモリ部１２０の説明
図８、図９、を用いて画像の記憶方法、読みだし用法について説明する。図８（１）は、画像メモリの１つの記憶容量を示したもので、本実施例では、600dpi基準でＡ３サイズの記憶ができるもので、縦7015ｘ横9920ビットで構成される。この記憶領域が図６に示す様に画像レイアウト領域１つとキャラクタ用データ１つと画像記憶領域として、１００枚分の画像が記憶できる様に構成されている。続いて図８（２）を用いて原稿画像を画像メモリに記憶する場合の例を示したものである。（２ａ）のようにおかれた原稿は、図に示す様に矢印の方向に順次読み込まれ、先ず、１ライン目が読み込まれると、（２ｂ）に示されるように（０、０）アドレスをスタート位置にＸ方向のカウントアップ、Ｙ方向のカウントアップに指定して、先ず１ライン目が読み込まれるとＹ方向のカウンタが（０、7015）方向に順に書き込まれる。次に２ライン目が読み込まれると、Ｘ方向のカウンタがアップされ（１、０）アドレスから（１、7015）アドレス方向に順に書き込まれる。次に３ライン目が読み込まれると、Ｘ方向のカウンタがアップされ（２、０）アドレスから（２、7015）アドレスまで書き込まれる。この様に読み込み、書き込みを繰り返して（4960、7015）まで書き込まれる。
【００３１】
次に（２）を用いてメモリに書き込まれた画像データを読み出す処理を（３）（４）を用いて説明する。（３）で記憶されたデータは、（３ａ）に示す様に先ず、１ライン目は、（4960、０）アドレスをスタート位置に、Ｘカウンタを順にカウントダウン、Ｙ方向のカウンタをアップに指定して（０、０）方向にＸカウンタを順にダウンしながら読みだす。つぎにＹカウンタをアップさせ、２ライン目の読みだしが行われ、（4960、１）アドレスから（０、１）の方向に読みだし、順次このように読み出す事により（３ｂ）の画像を読み出すことができる。
【００３２】
（４）では記憶されたデータは、（４ｂ）に示す様に先ず１ライン目は（０、０）のアドレスをスタート位置にし、Ｘ方向のカウンタをアップ、Ｙ方向のカウンタをダウンに指定して（０、7015）の方向にＹカウンタを順次アップしながら読み出す。次にＸカウンタをアップさせ、２ライン目の読みだしが行われ、（１、０）アドレスから（１、7015）方向に読みだし、順次この様に読み出すことにより、（４ｂ）の読みだしをおこなうことができる。従って、（２ａ）に示すＡ４幅の原稿を（３）の方向で読み出すことで画像を回転しないで読み出すことができる。
【００３３】
また、（４ｃ）に示すようにまず1ライン目は（4960、7015）アドレスをスタート位置にYカウンタをカウントダウンし（4960、０）まで順次読み出す。2ライン目はXカウンタをカウントダウンさせ、（4959、7015）からYカウンタをカウントダウンし、（4959，０）まで順読み出す。順次このように読み出すことにより（４ｄ）の180度回転した画像を読み出すことができる。
【００３４】
図９の画像レイアウトメモリについて説明する。前述したように（５ａ）（５ｂ）のような個々に記憶された画像を読みだし、画像レイアウトメモリの所望の位置に画像を書き込むことにより（５ｃ）に示すように別々の原稿画像をメモリ上で合成することができる。
【００３５】
ハードディスク部１２７の説明
図１６は、画像/管理データ蓄積用HDD127であり、CPU122に指示された場合に圧縮器126を用いてHDD127に格納する。このとき圧縮器126が圧縮用にメモリが必要な場合は、図９に示す符号化用テンポラリ１もしくは符号用テンポラリ２メモリを一時使用し、符号化したデータをHDD127に蓄積する。
【００３６】
HDD127は図１６に示すように、領域を分けて使用する。ユーザーBOX領域、管理領域は、ファイルシステムによって管理されており、ファイル単位のアクセスが可能ある。ユーザーBOX領域は、ユーザーBOX機能を実現するための、ファイル名/ユーザー名などがBOX毎に記載されたファイルが格納されている。管理領域は、制御プログラムのほか、本発明の消去禁止画像の管理用のデータが蓄積されている。画像データ領域、一時データ領域、消去禁止画像データ領域は、画像フォーマット専用のファイルシステムが適用されており、画像のみの入出力が可能である。画像データ領域は、ユーザーBOXの画像データが蓄積されている。一時データ領域は、一時的に使用される画像データ領域で電源断保証されない領域であり、コピー機能などに用いられる。消去禁止画像データ領域は、本発明における消去禁止画像データが蓄積されている。
【００３７】
ハードディスク部１２８の説明
HDD128もHDD127と内部構造は同一である。
【００３８】
プリンタ部２の説明
図２を参照しながらプリンタ部２の構成および動作について説明する。
【００３９】
プリンタ部２に入力された画像信号は、露光制御部２０１にて変調された光信号に変換されて感光体２０２を照射する。照射光によって感光体２０２上に作られた潜像は現像器２０３によって現像される。上記現像像の先端とタイミングを併せて転写紙積載部２０４、もしくは２０５より転写紙が搬送され、転写部２０６に於て、上記現像された像が転写される。転写された像は定着部２０７にて転写紙に定着された後、排紙部２０８より装置外部に排出される。排紙部２０８から出力された転写紙は、製本ユニット２３０にうけわたされる。製本ユニット２３０は、処理内容により転写紙の進行方向を変更することにより後処理を行う。パンチ機能が働いている場合は、パンチユニット２９０においてパンチ穴あけを行ために方向変更材２３２、２３５を制御し、パンチユニット２９０に導く。同様にステイプル機能がはたらいている場合も、ステイプルユニット２８０においてステイプルを行うために、方向変更材２３２、２３５を制御する。ステイプルユニットは、ステイプルの種類に応じたステイプルを行う。
【００４０】
図２において、上記に説明の無いものは、本発明に無関係であるため特に説明しない。
【００４１】
消去禁止画像データ領域への登録処理の説明
図10から図12の操作画面と図17のフロー図を使用して、画像データを消去禁止画像データ領域に登録する処理について説明する。
【００４２】
ユーザがHDD127の画像データ領域に登録済みの画像データを選択し、レコードマネージメントの対象にさせる指示を行うと、操作画面に図10の表示を行い、ユーザに対して登録する期間を設定するために、用途か登録期間の指定を促す(S1701)。
【００４３】
用途が選択された場合には、操作画面に図11の表示を行い、ユーザに登録済みの用途から用途の選択を促す(S1703)。期間が選択された場合には、操作画面に図12の表示を行い、ユーザに登録期間の入力を促す(S1705)。ユーザが用途か期間を正常に入力した場合には、指定された画像データをHDD127の画像データ領域から消去禁止画像データ領域に移動し、画像データの管理情報にユーザが入力した情報を付加する。
【００４４】
消去禁止画像データ領域を増設する処理の説明
図13から図15の操作画面とブロック図および図３のフロー図を使用して、消去禁止画像データ領域が不足した場合の処理について説明する。
【００４５】
画像データ領域から消去禁止画像データ領域に移動する処理(S1706)の際に、消去禁止画像データ領域の残容量が一定量(例えば10%)を下回ると、操作画面に図13の表示を行い、ユーザに対して保存領域の増設を促す。
【００４６】
ユーザもしくはサービスマンが保存領域の増設操作を開始すると、操作画面に図14の表示を行い、増設の種類の選択を促す。「ディスク交換」では、ネットワーク152によって接続された外部のファイルサーバ151を使用するため、そのサーバの種類も選択するが、本発明では特に説明しない(S1802-S1806)。「ディスク増設」では、ディスクを追加して作業を進める(S1807)。
【００４７】
ディスク増設が選択されると、図15の表示を行いユーザもしくはサービスマンにディスク増設を促す。ディスク増設が完了し、改めて機器の電源が投入されると、新しいHDD128を使用して機器が動作を開始すると共に、古いHDD127に保持されているファイルの移動が並行して実行される(S1808)。
【００４８】
ファイルを移動する処理の説明
次に、図４、図５の状態遷移図とフロー図とを使用して、動作中にファイルをHDD127からHDD128に移動する際の処理について説明する。
【００４９】
図５はファイル移動時の処理の流れである。古いHDD127に存在するファイルは一つ一つ処理される。まずHDD128へファイルの移動を行う(S2001)が、移動中にそのファイルへの書き込み等が行われている可能性があるため、移動完了後に移動中の書き込みがなかったかチェックを行い(S2002)、書き込み等があった場合にはその変更部分に関してだけ再度移動を行う(S2003)。これを全ファイルに対して行い(S2004)、移動を終了する。
【００５０】
図４は移動処理が行われる際のファイルの状態遷移図である。ファイルへの操作はオープン、クローズ、ライトの通常の処理に加え、移動、移動完の2つの操作が行われる。
【００５１】
ファイルの移動中にアクセスを禁止することで、状態遷移を簡素にすることも可能だが、移動中にも機器が動作できるようにするために、ファイルへのアクセスと移動は並行して行われる。よって、移動中にファイルが変更されたり、変更中に移動が開始されたりするため、そのような状態が発生しても正常に移動が完了する必要がある。なお、ファイルの持つ状態はこれ以外にも存在するが、この状態遷移図では移動に関連する部分のみが記述されている。
【００５２】
S1901が初期状態である。通常のオープン、ライト、クローズ処理が行われると、S1901, S1902 の状態を遷移する。S1901から移動が開始され移動完了するとS1909の最終状態になる。移動中S1903にファイル操作が行われたり、オープン中S1902に移動が開始されると、S1904からS1908の状態を経て最終的に移動完了S1909になる。
【図面の簡単な説明】
【００５３】
【図１】リーダ部の信号処理構成を示す回路ブロック図。
【図２】本実施例の複写機（リーダ部１およびプリンタ部２）の構成を示す断面図。
【図３】フロー図。
【図４】状態遷移図。
【図５】フロー図。
【図６】ブロック図。
【図７】本実施例の操作部１２３の詳細を示した図。
【図８】図画像の記憶方法、読みだし用法について説明するための図。
【図９】図画像の記憶方法、読みだし用法について説明するための図。
【図１０】操作画面。
【図１１】操作画面。
【図１２】操作画面。
【図１３】操作画面。
【図１４】操作画面。
【図１５】操作画面。
【図１６】図画像の記憶方法、読みだし用法について説明するための図。
【図１７】フロー図。
【図１】
2008294830.tif 000003
【図２】
2008294830.tif 000004
【図３】
2008294830.tif 000005
【図４】
2008294830.tif 000006
【図５】
2008294830.tif 000007
【図６】
2008294830.tif 000008
【図７】
2008294830.tif 000009
【図８】
2008294830.tif 000010
【図９】
2008294830.tif 000011
【図１０】
2008294830.tif 000012
【図１１】
2008294830.tif 000013
【図１２】
2008294830.tif 000014
【図１３】
2008294830.tif 000015
【図１４】
2008294830.tif 000016
【図１５】
2008294830.tif 000017
【図１６】
2008294830.tif 000018
【図１７】
2008294830.tif 000019